(57)【特許請求の範囲】
【請求項１】
頂壁３中央部に蓋板嵌合用の凹部ａを形成するとともに、凹部ａ中央部に取り出し口４を形成し、且つ、凹部ａ内前部を揺動板押し下げ用の押し下げ空間a1に形成してなる容器本体Ａと、凹部ａ内に収納させた蓋板５の後部を容器本体上面後部に回動可能に連結するとともに、蓋板裏面中央部より垂設したシール筒６を取り出し口４を密閉して嵌合させ、且つ、容器本体上面に開閉可能に設けた蓋体Ｂとを備え、蓋板５前部の押し下げ空間a1上方に指掛け用の窓孔８を穿設し、取り出し口４前縁の凹部底壁縁部より前方凹部底壁上へ嵌合基部９を折り返し嵌合させるとともに、嵌合基部９より立設した支持突片10を介して窓孔に臨ませた揺動板11を横設し、揺動板の外側端を押し下げた際に、支持突片10を支点として蓋板前部が上方に押し上げられて窓孔への指掛けが可能になる如く構成してなることを特徴とする気密性容器。
【発明の詳細な説明】
【０００１】
【発明の属する技術分野】
本発明は気密性容器に関し、詳しくは、ウェットティッシュ等を収納する気密性に優れた容器に関する。
【０００２】
【従来の技術】
ウェットティッシュ等を収納する気密性のある容器として、例えば、頂壁中央部に取り出し口を穿設した容器本体と、取り出し口に密嵌して閉塞するシール筒を蓋板裏面より垂設するとともに、後部を容器本体後部に回動可能に連結して容器本体上面を開閉可能に設けた蓋体とを備えてなる合成樹脂製のものが知られている。
【０００３】
これらは、容器本体と蓋体との軸着部にトーションバネを介在させて、蓋体前部の容器本体に対する係合を解除した際に自動的に開蓋する如く構成している。また、蓋体前部の係合解除手段として、図４に示す如く、容器本体50に嵌着した中蓋51の先端縁より折り返し係止した基板52の上面より支持突片53を一体に突設し、また、支持突片53の先端を押圧板54の裏面に一体に連結し、更に蓋体55の先端部には先端縁より内方へ切欠き部56を穿設して、この切欠き部56の下方に押圧板54を臨ませている。そして、押圧板54の外側端部を押し下げることにより、支持突片53を支点としてその内側端部が上方へ移行し、蓋体55の頂板57下面を押し上げて頂板57裏面より垂設したシール筒58と取り出し口59とに設けた係合突起60及び係止突起61の係合が外れ、トーションバネ（図示せず）の弾発力により蓋体55が開く如く構成している。
【０００４】
【発明が解決しようとする課題】
上記従来の容器は、押圧板54を押し下げるだけで簡単に開蓋し、また、蓋体55を押し下げるだけで簡単に閉蓋するため、使勝手が良く、使用上すこぶる便利であるが、トーションバネを使用しているため、その組み付け操作が面倒であり、また、近年の合成樹脂と金属との分別廃棄が要望されている点からも樹脂単一での形成が望まれる。
【０００５】
また、シール筒58の嵌合部分に係合突起60と係止突起61との係合手段を備えているので、その部分の気密性が若干劣る。
【０００６】
本発明では、上記した点に鑑み、金属製のトーションバネを使用しなくても、片手操作により簡単に開蓋することができるとともに、蓋体の一部を指先で上方から押すだけて閉蓋することができ、しかも構造も簡単で安価に製造でき、気密性にも優れた合成樹脂製の容器を提案するものである。
【０００７】
【課題を解決するための手段】
本請求項１発明の容器は上記課題を解決するため、頂壁３中央部に蓋板嵌合用の凹部ａを形成するとともに、凹部ａ中央部に取り出し口４を形成し、且つ、凹部ａ内前部を揺動板押し下げ用の押し下げ空間a1に形成してなる容器本体Ａと、凹部ａ内に収納させた蓋板５の後部を容器本体上面後部に回動可能に連結するとともに、蓋板裏面中央部より垂設したシール筒６を取り出し口４を密閉して嵌合させ、且つ、容器本体上面に開閉可能に設けた蓋体Ｂとを備え、蓋板５前部の押し下げ空間a1上方に指掛け用の窓孔８を穿設し、取り出し口４前縁の凹部底壁縁部より前方凹部底壁上へ嵌合基部９を折り返し嵌合させるとともに、嵌合基部９より立設した支持突片10を介して窓孔に臨ませた揺動板11を横設し、揺動板の外側端を押し下げた際に、支持突片10を支点として蓋板前部が上方に押し上げられて窓孔への指掛けが可能になる如く構成してなることを特徴とする気密性容器として構成した。
【０００８】
【発明の実施の形態】
以下、本発明の実施例の形態を図面を参照して説明する。
本発明の容器１は、容器本体Ａと蓋体Ｂとを備えている。
容器本体Ａは合成樹脂により形成されたもので、頂壁中央部に蓋板嵌合用の凹部を形成するとともに、凹部中央部に取り出し口を形成し、また、凹部内前部を揺動板押し下げ用の押し下げ空間に形成している。凹部は、蓋体Ｂの後述する蓋板を収納させるためのものであり、少なくとも蓋板が収納できる深さを備えており、蓋体の平面輪郭と略同様な平面形状とすると良い。また、前部においては後述する揺動板の押し下げ空間を形成するものであり、少なくとも取り出し口と後述シール筒との密嵌を解消する程度の揺動板の押し込みが可能な深さを備えている。
【０００９】
図示例では、四角板状で周縁部に二条の突条で形成した嵌合凹溝を立設してなる底蓋A1と、該底蓋の嵌合凹溝に下端縁を密嵌して固定した四角筒状の周壁２上端縁より頂壁３を延設してなる胴部A2とから容器本体Ａを構成している。
【００１０】
また、凹部ａは、頂壁３中央部を縦長四角形状に凹ませて形成しており、その中央部に円形状の取り出し口４を穿設している。また、凹部の前部内には、後述する嵌合基部が嵌合するとともに、肉厚程度の浅い矩形状をなす嵌合凹部ｂを凹設し、該嵌合凹部ｂ上方の凹部ａ内を押し下げ空間a1として構成している。
【００１１】
図示例の凹部ａは、嵌合凹部ｂ部分を除いて全体を同じ深さとしているが、例えば、押し下げ空間a1を形成する前部だけを深く、その他の部分を蓋板の肉厚程度に浅くすることも可能である。
【００１２】
蓋体Ｂも合成樹脂により形成されたもので、凹部ａに収納させた蓋板５後部を容器本体Ａ上面後部に回動可能に連結するとともに、蓋板５裏面中央部より垂設したシール筒６を取り出し口４を密閉して嵌合させ、容器本体Ａ上面に開閉可能に設けている。
【００１３】
図示例では、凹部ａの周壁内周上端部に外周縁を位置させて収納した矩形状の蓋板５を有し、蓋板５下面後縁部より垂設した突部７両面を、凹部の周壁内面両側後端部に軸着，枢着等の適宜手段により回動可能に連結している。また、蓋板５裏面中央部より垂設した円筒状のシール筒６を取り出し口４内面に密嵌させている。
【００１４】
本発明では、蓋板５前部の押し下げ空間a1上方に指掛け用の窓孔８を穿設し、取り出し口４前縁の凹部底壁縁部より前方凹部底壁上へ嵌合基部９を折り曲げ嵌合させるとともに、嵌合基部９より立設した支持突片10を介して窓孔に臨ませた揺動板11を横設し、揺動板11の外側端を押し下げた際に、支持突片10を支点として蓋板５前部が上方に押し上げられて窓孔８への指掛けが可能になる如く構成している。この嵌合基部９，支持突片10，揺動板11は容器本体Ａと一体に形成する。
【００１５】
図示例では、円形の取り出し口４の前部一部を直線状に形成し、該直線状部分の縁部に薄肉ヒンジ12を介して矩形状をなす嵌合基部９の一端を連結し、この嵌合基部９を前方へ折り返して上記嵌合凹部ｂ内に密嵌固定させる如く構成している。また、支持突片10は、折り返した嵌合基部９の上面後部より立設した矩形板状をなし、更に、揺動板11は、その前部を肉厚程度一段下げて蓋板５下面に潜らせ当接させた押し上げ部11a に構成し、その他の部分は窓孔８内に蓋板５と同レベルで位置する如く構成して、支持突片10を中心に揺動可能に設けている。
【００１６】
上記の如く構成した容器を使用する場合に付いて説明すると、例えば、図１の実線の状態から指の先で揺動板11の外側端を押し下げると、シール筒６の取り出し口４との密嵌が解除されて蓋板５前部が上方へ持ち上げられ、次いで指先を二点鎖線にある如く、窓孔８の前縁部を形成する蓋板５裏面に掛けて持ち上げれば蓋体Ｂは容易に開き、内容物を取り出すことが出来る。この際、揺動板11は支持突片10の弾性復元力で元の水平状態にもどる。
【００１７】
使用後は蓋板５上面を押して蓋体Ｂを閉じれば、シール筒６が取り出し口４に密嵌し、元の状態に戻る。
【００１８】
【発明の効果】
以上説明した如く、本発明容器は、既述構成としたことにより、シール筒の取り出し口への嵌合により容器体内収納物を確実に密封することができるとともに、揺動板の押し下げによりシール筒の密嵌状態を解除し、次いで、窓孔へ掛けた指を引き上げるだけの簡単な操作で開蓋させることができるため、容器本体を固定しなくても片手での開蓋を容易に行える。
【００１９】
しかもトーションバネの如き金属を部材として使用しなくても蓋体の開閉が極めて容易に行えるため、廃棄の際に金属と合成樹脂とを分離する必要もない。
【００２０】
また、嵌合基部，支持突片，揺動板はいずれも容器本体と一体に形成することができるため、製造上の煩雑さをできるだけ解消することができる。
【００２１】
また、嵌合基部の折り返し端部と反対側に於いて揺動板を押し下げているため、揺動板の押し下げにより嵌合基部の嵌合が外れるという様な不都合を生じる虞はない。
【００２２】
更に、蓋板は凹部内に嵌合させているため、容器上面を略平坦面にすることが出来、積み重ねを容易に行える。
【図面の簡単な説明】
【図１】本発明の一実施例を示す要部拡大断面図である。
【図２】同実施例の斜視図である。
【図３】同実施例の組み付け前の一部分を示す要部拡大断面図である。
【図４】従来容器を示す要部拡大断面図である。
【符号の説明】
３…頂壁，４…取り出し口，５…蓋板，６…シール筒，８…窓孔，
９…嵌合基部，10…支持突片，11…揺動板，Ａ…容器本体，Ｂ…蓋体，
ａ…凹部，a1…押し下げ空間
【図１】
0003719480.tif 000002
【図２】
0003719480.tif 000003
【図３】
0003719480.tif 000004
【図４】
0003719480.tif 000005